(57)【要約】【課題】避難者の視野を遮断して避難者の心理的に安定するようにし、カプセル型エアーチューブの内部に避難者を収容して避難者を保護し得ることで、火災の発生などの非常状況が発生した時に避難者がより安全に地上に下降し得るようにする非常脱出装置を提供する。【解決手段】本発明による非常脱出装置は、避難者が収容される収容空間を有して避難者を外部の衝撃から保護するエアーチューブと、該エアーチューブに連結され、地上まで到達する長さを有し、且つその一端が離脱場所に固定されているロープと、エアーチューブの内部に装着されてロープに連結されて避難者が収容されたエアーチューブを安全な速度で地上に下降させるコントローラと、を含むことを特徴とする。【選択図】  図１
2007522905.tif 000002
【特許請求の範囲】
【請求項１】
避難者を収容する収容空間を有しており、収容した避難者を外部の衝撃から保護するエアーチューブと、
該エアーチューブに連結されるとともに地上まで到達する長さを有し、その一端が離脱場所に固定されるロープと、
前記エアーチューブの内部に装着されて前記ロープに連結されて避難者が収容されたエアーチューブを安全な速度で地上に下降させるコントローラと、
を備えることから成る非常脱出装置。
【請求項２】
前記エアーチューブは、楕円状に形成される外側部材と、該外側部材との間にガス充填空間を有してその内部に避難者が収容される収容空間を形成する内側部材とを備えることから成る請求項１に記載の非常脱出装置。
【請求項３】
前記外側部材と前記内側部材間の幅は、外部の衝撃から内部に収容された避難者を保護し得る１０〜１５cmに形成されていることから成る請求項２に記載の非常脱出装置。
【請求項４】
前記エアーチューブは、火に強い不燃性材質で形成されていることから成る請求項１に記載の非常脱出装置。
【請求項５】
前記エアーチューブの側面には、難者が出入し得る出入口が縦方向に形成されており、前記出入口には出入口を開閉し得るジッパーが備えられていることから成る請求項１に記載の非常脱出装置。
【請求項６】
前記エアーチューブの正面には、避難者の腕を外部に出し得る一対の腕出し口と、避難者の脚を外部に出し得る一対の脚出し口と、がそれぞれ形成され、これら腕出し口と脚出し口には、それぞれジッパーが装着されていることから成る請求項１に記載の非常脱出装置。
【請求項７】
前記エアーチューブの正面には、避難者がチューブの内部に収容されたときに外を見ることをできるようにする透明窓が形成されており、該透明窓には、該透明窓を開閉する開閉部材が装着されていることから成る請求項１に記載の非常脱出装置。
【請求項８】
前記エアーチューブの内面の前方には、前記コントローラを収容するコントローラ収容部が形成され、該コントローラ収容部の上端と下端には、それぞれ前記コントローラに連結され且つ前記ロープが通過するロープガイド管が装着さていることから成る請求項１に記載の非常脱出装置。
【請求項９】
前記コントローラの上端及び下端にはロープが通過するロープ通路がそれぞれ形成されており、前記コントローラの前方にはエアーチューブの内部に収容された避難者が操作するレバーが装着されていることから成る請求項８に記載の非常脱出装置。
【請求項１０】
前記ロープは建物の各階から地上まで到達し得る充分な長さを有しており、前記ロープの両端部には、当該ロープを固定物に固定させる連結リングがそれぞれ装着されていることから成る請求項１に記載の非常脱出装置。
【請求項１１】
前記エアーチューブの一側に装着されて前記エアーチューブのガス充填空間に供給される圧縮ガスが貯蔵されたガスタンクを更に含むことから成る請求項１に記載の非常脱出装置。
【請求項１２】
前記ガスタンクは、前記エアーチューブの収容空間の内部の底面に装着されたタンク装着部に装着されていることから成る請求項１１に記載の非常脱出装置。
【請求項１３】
前記ガスタンクのガス出口はガス供給管により前記エアーチューブと接続され、前記ガス出口には該ガス出口の開閉作用をする開閉バルブが設置されていることから成る請求項１１に記載の非常脱出装置。
【請求項１４】
前記エアーチューブの内側の底面に設置され、前記エアーチューブが地面に到達する時に発生する外的衝撃から避難者を保護するエアーバックを更に含むことから成る請求項１に記載の非常脱出装置。
【請求項１５】
前記エアーバックは、設定値以上の衝撃力が発生するときに、前記エアーチューブの下面に設置された衝撃感知部の作動によって、瞬間的に膨らんで前記エアーチューブの内部に収容された避難者を保護することから成る請求項１４に記載の非常脱出装置。
【請求項１６】
前記エアーチューブの上側に装着され、該エアーチューブが落下する時に該エアーチューブが上下逆さまになることなく落下し得るように空気との抵抗を発生させる空気抵抗部を更に含むことを特徴とする請求項１に記載の非常脱出装置。
【請求項１７】
前記空気抵抗部は、前記エアーチューブの上端に装着されるロッドと、
該ロッドに固定される支持軸と、
該支持軸に回転可能に装着されるプロペラと、を備えることから成る請求項１６に記載の非常脱出装置。
【請求項１８】
前記空気抵抗部は、前記エアーチューブの上側に設けられた複数のエアーバーから構成されることから成る請求項１６に記載の非常脱出装置。
【請求項１９】
前記エアーチューブの外周面には、前記エアーチューブが壁面または地面に衝突する時の衝撃を緩和させる複数の緩衝突起が設けられていることから成る請求項１に記載の非常脱出装置。
【発明の詳細な説明】
【技術分野】
【０００１】
本発明は、非常脱出装置に関し、特に、建物火災などの非常時に避難者が地上に安全に下降するのを支援することができる非常脱出装置に関する。
【背景技術】
【０００２】
一般に、高層建物に設置された非常脱出装置としては、火災発生などの非常状況が発生すると、避難者が安全裏に地上に降下するのを支援するコントローラを備えており、このようなコントローラを利用した非常脱出装置には、２種類の方式が使用される。
【０００３】
第１の方式は、コントローラが建物の外壁に設置されており、ロープがコントロータに装着されていて、避難者はロープを把持することによって安全に地上に降下できるものである。コントローラはロープを徐々に下降させるように作動し、それによって、ロープを把持する避難者は地上に避難することができる。
【０００４】
第２の方式は、建物の外壁にロッドが装着されており、コントローラがロッドに設置されていて、避難者は体をコントローラに密着させた後、避難者が直接にコントローラを作動させながら下降する方式である。
【発明の開示】
【発明が解決しようとする課題】
【０００５】
しかし、第１の方式の非常脱出装置の場合、避難者がコントローラの設置場所に移動しなければならないために、使用が不便である。また、その場所への移動時間が長くなることで、脱出が遅れるという問題点があった。
【０００６】
第２の方式の場合、避難者が建物の外壁をコントローラによって下降するとき、避難者の視野が開かれた状態になって恐怖心を抱かせることで、避難者が円滑に下降し得ないという問題点があった。
【０００７】
また、避難者は、保護道具なしに下降するために、建物に衝突したり、ロープが切れるなどの原因で外傷を負ったり、生命に危険を及ぼすという問題点があった。
【０００８】
したがって、本発明の目的は、避難者の視野を遮断して避難者が心理的に安定するようにし、カプセル型エアーチューブの内部に避難者を収容することにより、火災の発生などの非常状況が発生したときに、避難者が安全に地上に下降するのを支援することができる非常脱出装置を提供することである。
【課題を解決するための手段】
【０００９】
前記の課題を解決し且つ他の利点を得るために、本発明による非常脱出装置は、避難者が収容される収容空間を有して避難者を外部の衝撃から保護するエアーチューブと、該エアーチューブに連結され、地上まで到達する長さを有し、その一端は離脱場所に固定されるロープと、前記エアーチューブの内部に装着されて前記ロープに連結されて避難者が収容されたエアーチューブを安全な速度で地上に下降させるコントローラと、から成っている。
【００１０】
また、前記エアーチューブは、楕円状に形成される外側部材と、該外側部材との間にガス充填空間を有しておりその内部に避難者が収容される収容空間を形成する内側部材と、を含んでいる。
【００１１】
前記エアーチューブの側面には、縦方向に避難者が出入し得る出入口が形成され、該出入口には、該出入口を開閉し得るジッパーが備えられている。
【００１２】
前記エアーチューブの正面には、避難者の腕を外部に出し得る一対の腕出し口と、避難者の脚を外部に出し得る一対の脚出し口と、がそれぞれ形成されている。これら腕出し口と脚出し口には、それぞれジッパーが装着されている。
【００１３】
前記エアーチューブの正面には、避難者がチューブの内部に収容されたとき、外部を見ることができるようにする透明窓が形成されている。また、透明窓には、該透明窓を開閉する開閉部材が装着されている。
【００１４】
非常脱出装置は、前記エアーチューブのガス充填空間に供給される圧縮ガスを貯蔵するガスタンクを更に含んでいる。該ガスタンクのガス出口は、ガス供給管により前記エアーチューブと接続され、前記ガス出口には、該ガス出口の開閉作用をする開閉バルブが設置されている。
【００１５】
非常脱出装置は、前記エアーチューブの内側の底面に設置されて前記エアーチューブが地面に到達する時に発生する衝撃から避難者を保護するエアーバックを更に含んでいる。該エアーバックは、設定値以上の衝撃力が発生するときに前記エアーチューブの下面に設置された衝撃感知部の作動によって瞬間的に膨らんで、エアーチューブの内部に収容された避難者を保護することができる。
【発明の効果】
【００１６】
本発明による非常脱出装置は、避難者がカプセル形態のエアーチューブに収容された状態で下降し得るため、外部の衝撃などから避難者を保護することができる。
【００１７】
また、避難者の選択によって避難者の視野を遮断することができて、エアーチューブに収容された状態で地面に向かって下降する時に、避難者は心理的に安心感が得られる。
【００１８】
また、エアーチューブが下降する途中にロープが切れた場合、またはエアーチューブが速い下降速度で地面と衝突すると、エアーバックが膨らんで該エアーチューブに収容された避難者を保護することができる。
【発明を実施するための最良の形態】
【００１９】
以下、本発明による非常脱出装置の第１実施形態について添付図面を用いて説明する。  
【００２０】
本発明による非常脱出装置の実施形態は複数存在し得るが、以下、最も好ましい実施形態について説明する。
【００２１】
図１は本発明による非常脱出装置の正面図、図２は本発明による非常脱出装置の側面図、図３は図１のIII-III線断面図、図４は図１のIV‐IV線断面図、図５は図１のＶ‐Ｖ線断面図、図６は図１のVI‐VI線断面図である。
【００２２】
本発明による非常脱出装置は、避難者が収容される収容空間を有して避難者を外部の衝撃から保護するエアーチューブ１０と、該エアーチューブ１０に連結され、地上まで到達する長さを有しその一端が離脱場所に固定されているロープ１２と、エアーチューブ１０の内部に装着されてロープ１２に連結されて避難者が収容されたエアーチューブ１０を安全な速度で地上に下降させるコントローラ１４と、から構成される。
【００２３】
また、エアーチューブ１０は、外観を形成する外側部材１６と、該外側部材１６との間にガスが充填される充填空間２０を有してその内部に避難者が収容される収容空間２２を形成する内側部材１８と、から構成される。外側部材１６と内側部材１８の間の幅は、外部の衝撃から内部に収容された避難者を保護し得る１０〜１５cmに形成されることが好ましい。また、エアーチューブ１０は、火に強い不燃性材質の繊維材質またはゴム材質で製造されることが好ましい。
【００２４】
また、エアーチューブ１０は、その内部に少なくとも一人を収容し得る大きさを有している。すなわち、エアーチューブ１０に乗りにくい老人、子供や体の不自由な人を避難させる場合、避難者は老人、子供や体の不自由な人と一緒にエアーチューブ１０の内部に同乗することができる。
【００２５】
また、エアーチューブ１０の側面には、避難者が出入し得る出入口２４が縦方向に形成されており、出入口２４には、図７に示すように、出入口２４を開閉し得るジッパー２６が備えられている。
【００２６】
また、エアーチューブ１０の正面には、避難者の腕を外部に出し得る一対の腕出し口２８が形成されると共に、避難者の脚を外部に出し得る一対の脚出し口３０が形成されている。また、腕出し口２８には、図８に示すように、該腕出し口２８を開閉するジッパー３２が装着されており、脚出し口３０にも、図９に示すように、該脚出し口３０を開閉するジッパー３４が装着されている。
【００２７】
また、エアーチューブ１０の正面には、避難者がエアーチューブ１０の内部の収容空間２２に収容されたときに、外部の状況を注視し得るようにする透明窓３６が形成されており、透明窓３６には、該透視窓３６を開閉する開閉部材３８が装着されている。
【００２８】
また、開閉部材３８は、図１０に示すように、透明窓３６を覆い得るほどの大きさを有しており、その上端はエアーチューブ１０の内側面に固定されている。開閉部材３８の下端にはベルクロなどの接着テープ４０が装着されており、エアーチューブ１０の内側面に装着された接着テープ４２に接着させることができる。
【００２９】
避難者が透明窓３６を通して外部の状況を知ろうとする場合には、開閉部材３８は、上方向に持ち上げて開閉部材３８に装着された接着テープ４０をエアーチューブの内側面に装着された接着テープ４２に付けることで、透明窓３６の覆いが開放される。それとは逆に、開閉部材３８を下方向に降ろすことで、透明窓３６を覆って閉じることができる。
【００３０】
また、エアーチューブ１０の内側面の前側には、コントローラ１４が装着されるコントローラ装着部４４が形成されている。また、コントローラ装着部４４の上端と下端には、それぞれコントローラ１４に連結され且つロープ１２が通過するロープガイド管４６、４８が装着されている。
【００３１】
ロープガイド管４６、４８は、エアーチューブ１０の前方上側に貫通して装着されているとともにコントローラ１４の上側に連結されていてロープ１２が通過する第１ガイド管４６と、エアーチューブ１０の前方下側に貫通して装着されているとともにコントローラ１４の下側に連結されていてロープ１２が通過する第２ガイド管４８と、から構成されている。
【００３２】
ロープ１２は、建物の各階から地上まで到達し得る充分な長さを有しており、ロープ１２の両端部には、ロープ１２を固定物に迅速且つ簡便に固定し得るように連結リング５０がそれぞれ装着される。
【００３３】
連結リング５０は、ロープ１２と連結されて一方が開放されるように形成されるフック５２と、該フック５２の開放部位に装着されていてフック５２の開放部位を所定弾性力で閉鎖する弾性開閉部５４と、から構成される。
【００３４】
コントローラ１４は、図１１に示すように、エアーチューブ１０の内側前方に形成されたコントローラ装着部４４に装着されており、その上端及び下端にそれぞれロープ１２が通過するロープ通路５６が形成されている。エアーチューブ１０の内部に収容された避難者が操作するレバー５８が、コントローラ１４の前側に装着されている。
【００３５】
避難者がレバー５８を下方向に引くと、コントローラ１４がロープに沿って徐々に下降する。同様に、レバー５８を元の状態に戻すと、コントローラ１４は現在の位置で停止する。コントローラ１４としては、ロープ１２に沿って徐々に下降し得るものであれば何れも使用可能である。
【００３６】
エアーチューブ１０の収容空間２２の底面には、エアーチューブ１０の充填空間２０に供給される圧縮ガスが貯蔵されたガスタンク６２が装着されている。
【００３７】
ガスタンク６２は、エアーチューブ１０の収容空間２２の底面に形成されたタンク装着部６０に固定され、その内部に炭酸ガスなどの圧縮ガスを貯蔵する。ガスタンク６２のガス出口６８は、ガス供給管６６によってエアーチューブ１０に接続されている。また、ガス出口６８には、該ガス出口６８の開閉作用をする開閉バルブ６４が設置されている。
【００３８】
エアーチューブ１０の内側の底面には、エアーチューブ１０が地面に到達する時に発生する衝撃から避難者を保護するエアーバック７０が設置されている。
【００３９】
エアーバック７０は、避難者がエアーチューブ１０の内部に収容された状態でロープ１２に沿って下降する時にロープ１２が切れるか、またはロープ１２に沿って下降する速度が速くてエアーチューブ１０が地面に当接する時に衝撃が発生した場合に、エアーチューブ１０に収容された避難者を保護するためのものである。エアーチューブ１０が地面に衝突する時に、設定値以上の衝撃力が発生すると、エアーバック７０は瞬間的に膨らんでエアーチューブ１０の内部に収容された避難者を保護する。
【００４０】
エアーバック７０は、エアーチューブ１０の下端に設置されてエアーチューブ１０が地面に衝突する時の衝撃力を感知する衝撃感知部７２により作動する。すなわち、エアーチューブ１０が地面に衝突する時に発生する衝撃力が設定値以上であると、衝撃感知部７２は、エアーバック７０を作動させる。
【００４１】
エアーバック７０としては、衝撃が加えられると膨らんで搭乗者を保護する一般的な車両用エアバッグと同一のバッグが適用される。
【００４２】
以下、本発明による非常脱出装置の作用について説明する。
【００４３】
図１２及び図１３は、本発明による非常脱出装置の作動状態図である。
【００４４】
高層建物で発生した火災によって、避難者が階段などを用いて地上に降りることができない場合、この非常脱出装置が作動される。
【００４５】
避難者は、まず、そこから地面へ降下することになる窓またはベランダなどを選定し、ロープ１２の上端に装着された連結リング５０を避難者の重量に耐え得る室内の固定部に固定する。フック５２を固定部に固定するだけでよく、取扱いが簡便である。また、弾性開閉部５４がフック部５２の開放部位を閉鎖するので、連結リング５０の固定部からの離脱が防止される。
【００４６】
ロープ１２とエアーチューブ１０間の距離を適切に調節した後、出入口２４に装着されるジッパー２６を開けて出入口２４を開く。同様に、腕出し口２８のジッパー３２を開けて腕出し口２８を開くと共に、脚出し口３０のジッパー３４を開けて脚出し口３０を開く。
【００４７】
ここで、出入口２４、腕出し口２８及び脚出し口３０が最初から開いた状態である場合には、これらを開ける必要はない。
【００４８】
その後、避難者は、出入口２４からエアーチューブ１０の収容空間２２に入って、両腕を腕出し口２８からエアーチューブ１０の外部に出し、両脚を脚出し口３０からエアーチューブ１０の外部に出す。
【００４９】
次いで、地面に向かって降下を開始する地点に移動し、ロープ１２を両手で握って建物の外壁に移動する。すると、エアーチューブ１０がロープ１２により空中にぶら下がった状態になる。
【００５０】
そして、避難者は、エアーチューブ１０の収容空間２２に両腕と両脚を戻した後、腕出し口２８に装着されたジッパー３２を閉じて腕出し口２８を閉鎖すると共に、脚出し口３０に装着されたジッパー３４を閉じて脚出し口３０を閉鎖する。
【００５１】
そして、避難者の選択によって透明窓３６を開放するか、または開閉部材３８を利用して透明窓３６を閉鎖する。
【００５２】
このような状態で、避難者がエアーチューブ１０の内部でガスタンク６２の開閉バルブ６４を開放すると、ガスタンク６２の内部の高圧ガスがエアーチューブ１０の充填空間２０に注入され、エアーチューブ１０がカプセル状に膨らむ。
【００５３】
そして、避難者がコントローラ１４のレバー５８を操作すると、コントローラ１４によりエアーチューブ１０が徐々に下降する。
【００５４】
エアーチューブ１０の内部には、コントローラ１４を操作する避難者以外にも他の避難者を一緒に収容することができる。すなわち、老人、子供や体の不自由な人と一緒に避難する場合、老人、子供や体の不自由な人は、エアーチューブ１０を着用して下降することが難しい。そのため、エアーチューブ１０は、コントローラ１４を操作する避難者と共に、老人、子供や体の不自由な人を一緒に収容できるように構成されている。
【００５５】
エアーチューブ１０が地面に向かって下降する途中にロープ１２が切れるか、またはエアーチューブ１０の下降する速度が速くてエアーチューブ１０が地面に到達する時に衝撃が発生すると、エアーチューブ１０の内部に装着されたエアーバック７０が膨らんで、エアーチューブ１０が地面と衝突する時の衝撃力を緩和する。
【００５６】
エアーチューブ１０が地面と衝突する時に、衝突感知部７２が作動して発生した衝撃力を感知する。感知した衝撃力が設定値以上であると、エアーバック７０が作動される。すると、エアーバック７０は瞬間的に膨らんで、避難者に伝わる衝撃力を最小化する。
【００５７】
図１４は本発明の第２実施形態による非常脱出装置の側面図であり、図１５は本発明の第２実施形態による非常脱出装置の空気抵抗部の分解斜視図である。
【００５８】
本発明の第２実施形態による非常脱出装置は、エアーチューブ１０が落下する時に空気との抵抗を増大させる空気抵抗部８０がエアーチューブ１０の上側に設置されていることを除いて、本発明の第１実施形態による非常脱出装置と同様の構成である。
【００５９】
空気抵抗部８０は、エアーチューブ１０の上端から上方向に突出するように装着されるロッド８２と、該ロッド８２に挿入されて固定される支持軸８４と、該支持軸８４に回転可能に装着されるプロペラ８６と、から構成される。
【００６０】
ロッド８２には固定ボルト９０を締結するためのボルト締結孔８８が形成されており、支持軸８４の外周面には固定ボルト９０が入り込む溝９２が形成されている。すなわち、ロッド８２の中に支持軸８４を挿入した後、固定ボルト９０を締めると、固定ボルト９０は支持軸８４の溝９２に入り込む。したがって、支持軸８４がロッド８２から離脱することが防止される。
【００６１】
本発明の第２実施形態による非常脱出装置においては、エアーチューブ１０が下降する途中にロープ１２が切れるか、またはロープ１２が支持されていない状態でエアーチューブ１０が落下する場合、空気抵抗部８０のプロペラ８６が回転して空気の抵抗を発生させる。したがって、エアーチューブ１０は底部分が頭部分に裏返ることなく上下位置が維持された状態で落下するので、頭部が先に地面に衝突することを防止することができる。
【００６２】
また、エアーバック７０はエアーチューブ１０の底面に装着されているので、エアーチューブ１０が上下逆さの状態で地面に衝突するときにはエアーバック７０は膨らまない。エアーチューブ１０が落下するときには、空気抵抗部８０によって、上下逆さまな状態になることがないので、エアーチューブ１０が地面に衝突する時にはエアーバック７０が正確に作動して避難者を保護することができる。
【００６３】
図１６は、本発明の第３実施形態による非常脱出装置の側面図である。
【００６４】
本発明の第３実施形態による非常脱出装置は、エアーチューブ１０が落下する時に空気の抵抗を発生させる空気抵抗部９２がエアーチューブ１０の上側に装着されることを除いて、第１実施形態で説明した非常脱出装置と同様の構成である。
【００６５】
本発明の第３実施形態による空気抵抗部９２は、エアーチューブ１０の上端中央から上方に向けて突出するロッド９６と、該ロッド９６内に挿入されて固定ボルト１００によりロッド９６に固定されてその長手方向にロープ１２が通過する通路が備えられる支持軸９８と、該支持軸９８に回転可能に装着されるプロペラ１０２と、から構成される。
【００６６】
エアーチューブ１０には、ロープ１２を支持軸９８にガイドするガイド通路９４が形成されており、ロープ１２はプロペラ１０２の上方向に延ばされている。
【００６７】
図１７は、本発明の第４実施形態による非常脱出装置の側面図である。
【００６８】
本発明の第４実施形態による非常脱出装置は、エアーチューブ１０の上側にエアーバー１０４が装着され、エアーチューブ１０が地面に衝突する時に衝撃を吸収する複数の緩衝突起１０６がエアーチューブ１０の外面に形成されることを除いて、第１実施形態で説明した非常脱出装置と同様の構成である。
【００６９】
エアーチューブ１０の上端には複数本のエアーバー１０４が設けられており、エアーバー１０４は、所定の長さを有し、エアーチューブ１０の充填空間２０に供給されるガスが内部に供給されるような、棒状に形成されている。
【００７０】
緩衝突起１０６は、エアーチューブ１０の外周面に凸状の半球体として形成されており、エアーチューブ１０のガス充填空間２０に接続されている。したがって、エアーチューブ１０のガス充填空間２０に供給されるガスが緩衝突起１０６に注入される。
【００７１】
エアーバー１０４と緩衝突起１０６は、本体に装着される形態に構成することもできて、合成樹脂材の発泡体で形成することもできる。
【００７２】
本発明はその精神又は本質的な特徴から逸脱しなければ幾つかの形態で具体化することができるので、上記の実施の形態は、他に特定されない限りは、上記の記述中のどのような細部によっても制限されることでなく、むしろその精神及び添付請求項に定義される範囲内であれば幅広く解釈され、それゆえ、請求項の境界、或いはそれに相当するものの内に入るすべての変更や修正は添付請求項によって含まれるものであると理解されるべきである。
【図面の簡単な説明】
【００７３】
【図１】本発明による非常脱出装置の正面図である。
【図２】本発明による非常脱出装置の側面図である。
【図３】図１のIII‐III線断面図である。
【図４】図１のIV‐IV線断面図である。
【図５】図１のＶ‐Ｖ線断面図である。
【図６】図１のVI‐VI線断面図である。
【図７】図３のＡ部の拡大図である。
【図８】図４のＢ部の拡大図である。
【図９】図５のＣ部の拡大図である。
【図１０】図２のＸ‐Ｘ線断面図である。
【図１１】本発明によるコントローラの構成図である。
【図１２】本発明による非常脱出装置の作動状態図である。
【図１３】本発明による非常脱出装置の作動状態図である。
【図１４】本発明の第２実施形態による非常脱出装置の側面図である。
【図１５】本発明の第２実施形態による非常脱出装置の空気抵抗部の分解斜視図である。
【図１６】本発明の第３実施形態による非常脱出装置の側面図である。
【図１７】本発明の第４実施形態による非常脱出装置の側面図である。
【符号の説明】
【００７４】
１０  エアーチューブ
１２  ロープ
１４  コントローラ
１６  外側部材
１８  内側部材
２０  ガス充填空間
２２  収容空間
【図１】
2007522905.tif 000003
【図２】
2007522905.tif 000004
【図３】
2007522905.tif 000005
【図４】
2007522905.tif 000006
【図５】
2007522905.tif 000007
【図６】
2007522905.tif 000008
【図７】
2007522905.tif 000009
【図８】
2007522905.tif 000010
【図９】
2007522905.tif 000011
【図１０】
2007522905.tif 000012
【図１１】
2007522905.tif 000013
【図１２】
2007522905.tif 000014
【図１３】
2007522905.tif 000015
【図１４】
2007522905.tif 000016
【図１５】
2007522905.tif 000017
【図１６】
2007522905.tif 000018
【図１７】
2007522905.tif 000019
【国際調査報告】
2007522905.tif 000020
2007522905.tif 000021